(57)【要約】  【課題】側溝ブロックにおいて、道路からの流水が流れ落ちる流路の入口は、ペットボトルが通過できず、その他の流路は、通過できる広さにする。  【解決手段】道路からの流水が流れ落ちる流路の入口は、ペットボトルが通過できず、その他の流路は、ペットボトルが通過できる広さにしてあるので、大量の水でも通過でき、しかもペットボトルが流れ込んで下流に流れることもない。また、万一、ペットボトルが入口まで流れて来たとしても、入口がペットボトルで閉鎖されて、流れが悪くなることはない。入口を部分的に狭くして、ペットボトルが通過不可能にした場合は、入口を狭くするのは部分的であって、流水の流れる量は減らないので、路面の冠水を効果的に防止できる。ペットボトルが通過できる広さの入口とし、水平方向の２分割材を設けて、ペットボトルが通過不能にすると、流水の入口を広くできるので、大量に流水が流入できる。【選択図】図１
2014080798.tif 000002
【特許請求の範囲】
【請求項１】
道路の側溝を形成するコンクリートブロックにおいて、
道路からの流水が流れ落ちる流路の入口は、横向きに開口しており、しかもペットボトルが通過できず、
その他の流路は、ペットボトルが通過できる広さであることを特徴とする側溝ブロックの流路構造。
【請求項２】
入口を部分的に狭くして、ペットボトルが通過不可能にするか、又はペットボトルが通過できる広さの入口に水平方向の２分割材を設けたことを特徴とする請求項１に記載の側溝ブロックの流路構造。
【請求項３】
入口の上側及び／又は下側の縁にピン状体を植え込み、又は前記コンクリートブロックの上面に、ペットボトルの直径より狭い開口を１以上設けて、前記入口と並列の流れ込み口とすることにより、流水の通過流量を稼いだことを特徴とする請求項１又は請求項２に記載の側溝ブロックの流路構造。
【請求項４】
道路の側溝を形成するコンクリートブロックにおいて、
道路からの流水が流れ落ちる流路の入口は、横向きに開口しており、しかもペットボトルが通過できず、
その他の流路は、ペットボトルが通過できるように広くすることを特徴とする側溝ブロックの流水方法。
【発明の詳細な説明】
【技術分野】
【０００１】
本発明は、道路の側溝を形成するコンクリートブロックにおける流水の通り道の構造に関する。
【背景技術】
【０００２】
道路の側溝は、側溝ブロックを連続させることで形成されるが、流水と一緒にゴミが流れて来て側溝ブロックの入口を塞ぐことが頭痛の種である。特にペットボトルが浮いて来て入口を塞ぐと、塞がれる面積が大きいので、問題は深刻である。
【先行技術文献】
【特許文献】
【０００３】
【特許文献１】特開２００９−７８８９
【発明の概要】
【発明が解決しようとする課題】
【０００４】
特許文献１のように、下段水路と上段水路とを２階構造にしたブロックにおいて、雨水落下間隙から前記上段水路に溜まった雨水を下段水路に導く構造とすることが提案されている。しかし、この雨水落下間隙は狭いので、大雨等の際は、路面か冠水する恐れがある。
この雨水落下間隙を大きくすれば、雨水の通路が大きくなるので、路面の冠水は防げると思い勝ちだが、ペットボトルなどが浮いて流れて来て、雨水落下間隙の入口を塞ぐので、結局は、路面の冠水を防げない。
本発明の技術的課題は、このような問題に着目し、側溝ブロックにおいて、道路からの流水が流れ落ちる流路の入口は、ペットボトルが通過できず、その他の流路は、ペットボトルが通過できる広さにして、路面が冠水しないようにして水害を防止できるようにすることにある。
【課題を解決するための手段】
【０００５】
請求項１は、道路の側溝を形成するコンクリートブロックにおいて、道路からの流水が流れ落ちる流路の入口は、横向きに開口しており、しかもペットボトルが通過できず、その他の流路は、ペットボトルが通過できる広さであることを特徴とする側溝ブロックの流路構造である。
【０００６】
請求項２は、入口を部分的に狭くして、ペットボトルが通過不可能にするか、又はペットボトルが通過できる広さの入口に水平方向の２分割材を設けたことを特徴とする請求項１に記載の側溝ブロックの流路構造である。
【０００７】
請求項３は、入口の上側及び／又は下側の縁にピン状体を植え込み、又は前記コンクリートブロックの上面に、ペットボトルの直径より狭い開口を１以上設けて、前記入口と並列の流れ込み口としたことを特徴とする請求項１又は請求項２に記載の側溝ブロックの流路構造である。
【０００８】
請求項４は、道路の側溝を形成するコンクリートブロックにおいて、道路からの流水が流れ落ちる流路の入口は、横向きに開口しており、しかもペットボトルが通過できず、その他の流路は、ペットボトルが通過できるように広くすることを特徴とする側溝ブロックの流水方法である。
【発明の効果】
【０００９】
請求項１のように、道路からの流水が流れ落ちる流路の入口は、ペットボトルが通過できず、その他の流路は、ペットボトルが通過できる広さにしてあるので、大量の水でも通過でき、しかもペットボトルが流れ込んて下流に流れることもない。また、万一、ペットボトルが入口まで流れて来たとしても、入口がペットボトルで閉鎖されて、流れが悪くなることはない。
【００１０】
請求項２のように、入口を部分的に狭くして、ペットボトルが通過不可能にした場合は、入口を狭くするのは部分的であって、流水の流れる量は減らないので、路面の冠水を効果的に防止できる。また、ペットボトルが通過できる広さの入口とし、水平方向の２分割材を設けて、ペットボトルが通過不能にすると、流水の入口を広くできるので、大量に流水が流入でき、路面の冠水を防止できる。
【００１１】
請求項３のように、入口の上側及び／又は下側の縁にピン状体を植え込むことによって、ペットボトルが入り込むのを阻止する構造にすると、ペットボトルで入口が塞がれることは少なく、流量を稼げる。また、前記コンクリートブロックの天壁に、ペットボトルの直径より狭い開口を１以上設けて、前記入口と並列の流れ込み口とした構造にすると、二つの流入路ができるので、流量を稼いで路面の冠水を効果的に防止できる。
【００１２】
請求項４のように、道路からの流水が流れ落ちる流路の入口は、ペットボトルが通過できず、その他の流路は、ペットボトルが通過できる広さにした方法によると、大量の水でも通過でき、しかもペットボトルが流れ込んて下流に流れることもない。また、万一、ペットボトルが入口まで流れて来たとしても、入口がペットボトルで閉鎖されて、流れが悪くなることはない。
【図面の簡単な説明】
【００１３】
【図１】本発明の第一実施形態を示す図で、（１）は斜視図、（２）は断面図である。
【図２】入口を狭くするための第二実施形態を示す斜視図である。
【図３】入口を狭くするための第三実施形態を示す斜視図である。
【図４】コンクリート材料を節減して薄肉にした実施例の斜視図である。
【図５】上下に２分した分離型の実施例を示す斜視図である。
【発明を実施するための形態】
【００１４】
次に本発明による側溝ブロックの流水構造が実際上どのように具体化されるか実施形態を説明する。図１は本発明の第一実施形態を示す図で、（１）は斜視図、（２）は断面図であり、図１に示す側溝ブロックを連接することで側溝Ｇを形成する。コンクリート製のブロックは、底を形成する底壁１と、天井を形成する天壁２と、縁石を兼ねる縁石壁３と、この縁石壁３側の側壁４と道路側の側壁５とで、側溝Ｇを形成する。
縁石壁３側に、路面を向いた状態で横向きに形成された入口ｉに路面の水が流れ込み、鉛直に立った状態の流路Ｒを経て、側溝Ｇに流れ込む。より大量の水が側溝Ｇに流れ込めるように、流路Ｒの断面積Ｄは大きい方がよいが、ペットボトルなどが流れ込んで下流側に流れたり、目視できない場所で引っ掛かったりする恐れがある。
【００１５】
そこで本発明では、入口ｉを狭くしている。すなわち、ペットボトルが流入できないように、ペットボトルの直径より小さい寸法ｄにしている。小要領の径の小さいペットボトルも入らないようにするには、その径よりも寸法ｄを小さくすることになる。
流量をもっと多くしたい場合は、（１）図の鎖線６のように、天壁２に開口を設けて、この開口６に、（２）図のような、金属製のグレーティング７を設けてもよい。なお、開口６は、ペットボトルが通過できなければ、単一でも可能である。
【００１６】
図２は、入口ｉを狭くするための第二実施形態を示す斜視図であり、入口ｉの上下の縁に所定の間隔で突起７、８を設けてもよい。そして、上下の突起７と８との間隔をｄとする。突起７、８の存在しない領域は、ｄよりも大きくなるが、突起７、８の間隔を、そのペットボトルの高さ（長さ）より大きくすればよい。
なお、上下の突起７と８とが互いに対向するのでなく、互い違いに形成することも可能である。この場合は、突起７、８と、突起の無い縁との間隔ｄを、ペットボトルの外径より小さくする。
【００１７】
突起７、８は、左右方向に長い形状をしているが、左右方向の寸法を限りなく小さくして、細いピンや釘状に形成してよい。この場合は、コンクリート製では容易に折損する恐れがあるので、ブロックを型枠から脱型した直後の、養生前に、ピン状体を植え込むのがよい。ピン状体が容易に離脱しないように、オネジ状に形成したり、表面を粗面化して、ブロックとの一体化が容易な形状にするのが好ましい。
突起７、８に代えてピン状体を用いる場合は、入口ｉの上側の縁又は下側の縁の一方に設ければよく、必ずしも両側に設ける必要はない。なお、細いピン状体を植え込む場合は、ペットボトルが入口ｉで阻止されても、水の円滑な流れが阻止されることは少ない。
【００１８】
図３は、入口ｉを狭くするための第三実施形態を示す斜視図であり、入口ｉの左右両側に予め溝を形成しておき、その溝に、水平のパイプ９の両端を挿入してから、モルタルなどの接着手段で埋める。その結果、水平のパイプ９が容易に外れることはない。
なお、モルタルに代えて、接着材でパイプ９をブロックに固定してもよい。
【００１９】
図１（２）のような断面形状では、背壁４の下側の肉厚が大きく、コンクリート材料が無駄なため、背壁４の下部を薄肉にして、背壁４下部に切除部１０を設けた形状が図４である。
また、図５は分離型の例であり、上下に２分してある。すなわち、天壁２と縁石壁３と背壁４上部とを、他の部分と分離してある。水流の入口ｉや入口に続く流路Ｒは、縁石壁３と背壁４上部とに有るので、図５のような分離型の場合でも適用される。
【産業上の利用可能性】
【００２０】
以上のように、側溝ブロックにおいて、道路からの流水が流れ落ちる流路の入口は、ペットボトルが通過できず、その他の流路は、ペットボトルが通過できる広さにして、路面が冠水しないようにして水害を防止できるようにしたので、自然災害の抑止に貢献できる。
【符号の説明】
【００２１】
Ｇ  側溝
１  底壁
２  天壁
３  縁石壁
４  背壁
５  前壁
ｉ  入口
Ｒ  流路
６  前壁の開口
ｇ  グレーティング
７・８  突起
９  水平のパイプ
１０  切除部
【図１】
2014080798.tif 000003
【図２】
2014080798.tif 000004
【図３】
2014080798.tif 000005
【図４】
2014080798.tif 000006
【図５】
2014080798.tif 000007